【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】  第３のコンピュータの制御によって第１のユーザにより動作される第１のコンピュータから第２のユーザにより動作される第２のコンピュータに、ファイル名を有するデータ・ファイルを転送する方法において、
(i)第１のコンピュータにおいて、第１のユーザは、転送用のデータ・ファイルを選択し、かつ、第３のコンピュータと通信リンクを確立するステップと、
(ii)第１のコンピュータと第３のコンピュータとの間の通信を検証することにより第３のコンピュータに対する第１のコンピュータの識別を検証するステップと、
(iii)第１のコンピュータにおいて、固有のキー・コードによる作動によってのみデータ・ファイルをアン・ラップ又は解読するようにされた実行可能ファイル内のデータ・ファイルをラップ又は暗号化し、次いで直接的にラップ又は暗号化したデータ・ファイルを含む実行可能ファイルを第１のユーザ識別情報及びデータ・ファイルのファイル名ステップと共に第２のコンピュータに送信するステップと、
(iv)第１のユーザ識別情報及び固有のキー・コードと共に、データ・ファイルのファイル名を第１のコンピュータから第３のコンピュータに送信するステップと、
(v)第２のコンピュータにおいて、ラップ又は暗号化したデータ・ファイルを含む実行可能ファイルの受信により、及び、これに対して第２のユーザのアクセス試行により第３のコンピュータと通信リンクを確立するステップと、
(vi)第２のコンピュータと第３のコンピュータとの間の検証通信により第３のコンピュータに対する第２のユーザの識別を検証するステップと、
(vii)第２のユーザの識別検証の成功により、固有のキー・コードに対する要求により第２のコンピュータから第３のコンピュータにデータ・ファイルのファイル名を送信するステップと、
(viii)実行可能ファイルにデータ・ファイルをアン・ラップ又は解読させ、かつ、第２のコンピュータに対して第２のユーザがアクセスできるように第３のコンピュータから第２のコンピュータに固有のキー・コードを送信するステップと、
を含む前記方法。
【請求項２】  請求項１記載の方法であって、第１のユーザの識別は、ステップ(ii)において、第１のユーザは、第１のユーザ揮発性識別コードを発生するように第１のコンピュータに擬似ランダム・セキュリティ・ストリングに対して第１のユーザ・マスク・コードを適用し、第１のユーザは、第３のコンピュータに対して第１のユーザ揮発性識別コードを送信し、かつ、第３のコンピュータは、第１のユーザ揮発性識別コードと、第３のコンピュータにおける擬似ランダム・ストリングに対して第１のユーザ・マスク・コードを適用することにより得られた第１のチェック揮発性識別コードとを比較することにより検証され、第１のユーザ揮発性識別コード及び第１のチェック揮発性識別コードが互いに一致するときに識別検証が実行される前記方法。
【請求項３】  請求項１又は２記載の方法であって、第２のユーザは、ステップ(vi)において、第２のユーザが第２のユーザ揮発性識別コードを発生するように第２のコンピュータに擬似ランダム・セキュリティ・ストリングに対して第１のユーザ・マスク・コードを適用し、第２のユーザは、第３のコンピュータに対して第２のユーザ揮発性識別コードを送信し、かつ、第３のコンピュータは、第２のユーザ揮発性識別コードと、第３のコンピュータにおける擬似ランダム・ストリングに対して第２のユーザ・マスク・コードを適用することにより得られた第２のチェック揮発性識別コードとを比較することにより検証され、第２のユーザ揮発性識別コード及び第２のチェック揮発性識別コードが互いに一致する識別検証が実行されるように適応された前記方法。
【請求項４】  請求項２に従属する請求項３記載の方法であって、第１のユーザ・マスク・コード及び第２のマスク・コードは、同一の擬似ランダム・セキュリティ・ストリングに対して適用される前記方法。
【請求項５】  請求項４記載の方法であって、擬似ランダム・ストリングは、第３のコンピュータにより発生され、かつ、最初に第１のコンピュータに、次に第１のコンピュータから第２のコンピュータに送信される前記方法。
【請求項６】  請求項４記載の方法であって、擬似ランダム・ストリングは、第３のコンピュータにより発生され、最初に第１のコンピュータに、次に第３のコンピュータから第２のコンピュータに送信される前記方法。
【請求項７】  請求項２に従属する請求項３記載の方法であって、第１のユーザ・マスク・コード及び第２のユーザ・マスク・コードは、異なる擬似ランダム・セキュリティ・ストリングに適用される前記方法。
【請求項８】  請求項１から７のいずれかに記載の方法であって、第１又は第２のユーザの識別は、ユーザ・マスク・コードをコンピュータ及びディスプレイによりユーザ・マスク・コード入力用の安全ユーザ・コード・エントリ・インターフェースを介して第１又は第２のコンピュータにより、それぞれ検証され、
(i)安全ユーザ・コード・エントリ・インターフェースは、ユーザによりユーザ・マスク・コードの少なくとも１デジットを入力するために少なくとも１つの作動表示を含み、作動表示は、作動表示内に少なくとも１つのディスプレイ・デジットを照光又はハイライトさせ、ユーザは、ユーザ・マスク・コードに対応する少なくとも１つのディスプレイ・デジットが作動ディスプレイにおいて照光又はハイライトさせたときに、応答時間において入力装置を介する応答によりユーザ・マスク・コードの少なくとも１つのデジットを入力し、かつ
(ii)ランダム・ラン・オン・タイムは、少なくとも１つの作動表示を延長するように応答時間に付加される、前記方法。
【請求項９】  請求項２若しくは３又はこれに従属する請求項に記載の方法であって、(i)擬似ランダム・ストリングは、第１のアレーのキャラクタを含み、各キャラクタは、第１のアレーにおいて与えられた数値位置（第１、第２、第３）を有し、
(ii)マスク・コードは、第２のアレーのキャラクタを含み、各数値は、第２のアレーにおいて与えられた数値位置（第１、第２、第３）を有し、かつ
(iii)揮発性識別コードは、位置順を考慮して第２のアレーにおける数値に基づき第１のアレーにおける数値位置を逐次選択するように擬似ランダム・ストリングに対してマスク・コードを適用することにより発生され、第３のアレーを形成するように第１のアレーから選択されたキャラクタを逐次戻し、第３のアレーは、揮発性識別コードを形成する、前記方法。
【請求項１０】  請求項１から９記載の方法であって、第３のコンピュータは、監査形跡を確立可能とするように第１、第２及び第３のコンピュータ間のトランザクションの記録を保持する前記方法。
【請求項１１】  請求項２若しくは請求項３又はこれに従属する請求項記載の方法であって、第１及び／又は第２のユーザ揮発性識別コードは、関連する擬似ランダム・セキュリティ・ストリングとの組合せにより第３のコンピュータにデジタル署名として記憶される前記方法。
【請求項１２】  第２のコンピュータから第１のコンピュータにデータ・ファイルを転送する方法において、
(i)第１のコンピュータと第２のコンピュータとの間に通信リンクを確立するステップと、
(ii)第１のコンピュータにより、第２のコンピュータから転送するデータ・ファイルを選択するステップと、
(iii)第２のコンピュータにおいて、固有のキー・コードによる作動によってのみデータ・ファイルをアン・ラップ又は解読するようにされた実行可能ファイル内にラップ又は暗号化し次にラップ又は暗号化したデータ・ファイルを含む実行可能ファイルを第１のコンピュータに送信するステップと、
(iv)第１のユーザが第１のユーザの揮発性識別コードを発生するように擬似ランダム・セキュリティ・ストリングに対して第１のユーザのマスク・コードを適用することにより、第２のコンピュータに対して第１のコンピュータのユーザの識別を検証するステップであって、第１のユーザは、第２のコンピュータに第１のユーザの揮発性識別コードを送信し、かつ、第２のコンピュータは、第２のコンピュータにおける擬似ランダム・ストリングに対して第１のユーザのマスク・コードを適用することにより得られた第１のチェック揮発性認識コードと第１のユーザの揮発性識別コードとを比較し、識別検証は、第１のユーザの揮発性識別コードと第１のチェック揮発性認識コードとが互いに一致したときに実行されるステップと、
(v)第１のコンピュータのユーザの検証の成功により固有のキー・コードを第１のコンピュータに送信するステップと、
を含む前記方法。
【請求項１３】  請求項１２記載の方法であって、第１のユーザの識別は、コンピュータ及びディスプレイによりユーザ・マスク・コード入力用の安全ユーザ・コード・エントリ・インターフェースを介して第１のコンピュータにより検証され、
(i)安全ユーザ・コード・エントリ・インターフェースは、ユーザによりユーザ・マスク・コードの少なくとも１つのデジットを入力するために少なくとも１つの作動表示を含み、作動表示は、作動表示内に少なくとも１つのディスプレイ・デジットを照光又はハイライトさせ、ユーザ・マスク・コードの少なくとも１つのデジットに対応する少なくとも１つのディスプレイ・デジットが作動ディスプレイにおいて照光又はハイライトさせたときに、応答時間において入力装置を介する応答によりユーザ・マスク・コードの少なくとも１つのデジットを入力し、かつ
(ii)少なくとも１つの作動表示を延長するように応答時間に対して時間どおりのランダム・ラン・オン・タイムが付加される、前記方法。
【請求項１４】  請求項１２又は１３記載の方法であって、(i)擬似ランダム・ストリングは、第２のアレーの数字を含み、各数字は、第２のアレーにおいて与えられた数値位置（第１、第２、第３）を有し、
(ii)マスク・コードは、第２のアレーの数字を含み、各数値は、第２のアレーにおいて与えられた数値位置（第１、第２、第３）を有し、
(iii)位置順を考慮して、第２のアレーにおける数値に基づき第１のアレーにおける数値位置を逐次選択するように擬似ランダム・ストリングに対してマスク・コードを適用することにより発生される、前記方法。
【請求項１５】  第２の電気通信アドレスを有する第２のコンピュータから第１の電気通信アドレスを有する第１のコンピュータにデータ・ファイルを転送する方法において、
(i)データ・ファイルに対する要求を第１のコンピュータから第２のコンピュータに送信するステップであって、要求は、データ・ファイル及び第１の電気通信アドレスを識別するデータを含むステップと、
(ii)第２のコンピュータにおいて、非固有のキー・コードによる作動によってのみ、データ・ファイルをアン・ラップ又は解読するようにされた実行可能ファイル内のデータ・ファイルをラップ又は暗号化するステップと、
(iii)第２のコンピュータにおける実行可能ファイルに固有の識別ストリングを割り付けるステップであって、固有の識別ストリングが第２のコンピュータにおいて第１の電気通信アドレスと更に関連されているステップと、
(iv)第２のコンピュータから第１のコンピュータに実行可能ファイル（データ・ファイルを含む）及び固有の識別ストリングを送信するステップと、
(v)第１のコンピュータによりメッセージを表示させて固有の識別ストリングを示し、かつ、ユーザが操作する電話から所定の電話番号を呼出すようにユーザに要求するステップと、
(vi)ユーザが操作する電話から電話呼出しを受け取り、その電話番号を判定し、かつ、ユーザから固有の識別ストリングを受け取るステップと、
(vii)第２のコンピュータにおいて、固有の識別ストリング及びユーザにより作動された電話の電話番号に関連した擬似ランダム・ストリングを発生し、かつ、この擬似ランダム・ストリングをユーザが操作する電話に送信するステップと、
(viii)所定のルールに従って揮発性識別コードを発生するように、擬似ランダム識別ストリングにユーザ及び第２のコンピュータに既知のマスク・コードを適用するステップと、
(ix)ユーザが操作する電話の電話番号と共に揮発性識別コードが送信される場合は、ユーザが操作する電話から又は揮発性識別コードが第１の電気通信アドレスと共に送信される場合は、第１のコンピュータから第２のコンピュータに揮発性識別コードを送信するステップであって、電話番号又は第１の電気通信アドレスは、第１のコンピュータ、ユーザ及び実行可能ファイルをそれぞれ識別するために提供されるステップと、
(x)第２のコンピュータにおいて、揮発性識別コードは、擬似ランダム・ストリングへ適用することにより発生したマスク・コードと一致するのをチェックして、一致のときは、
(xi)実行可能ファイルがデータ・ファイルをアン・ラップ又は解読し、かつ、これを第１のコンピュータにインストールできるようにキー・コードを第１のコンピュータに送信するステップと、
を含む前記方法。
【請求項１６】  第２の電気通信アドレスを有する第２のコンピュータから第１の電気通信アドレスを有する第１のコンピュータにデータ・ファイルを転送する方法において、
(i)データ・ファイルに対する要求を第１のコンピュータから第２のコンピュータに送信するステップであって、要求は、データ・ファイル及び第１の電気通信アドレスを識別するデータを含むステップと、
(ii)要求から識別と共に、第３のコンピュータから第２のコンピュータにデータ・ファイルを転送するステップと、
(iii)第２のコンピュータにおいて、非固有のキー・コードによる作動によってのみ、データ・ファイルをアン・ラップ又は解読するようにされた実行可能ファイル内のデータ・ファイルをラップ又は暗号化するステップと、
(iv)第２のコンピュータにおける実行可能ファイルに固有の識別ストリングを割り付けるステップであって、固有の識別ストリングが第２のコンピュータにおいて第１の電気通信アドレスと更に関連されているステップと、
(v)第２のコンピュータから第１のコンピュータに実行可能ファイル（データ・ファイルを含む）及び固有の識別ストリングを送信するステップと、
(vi)第１のコンピュータによりメッセージを表示させて固有の識別ストリングを示し、かつ、ユーザが操作する電話から所定の電話番号を呼出すようにユーザに要求するステップと、
(vii)ユーザが操作する電話から電話呼出しを受け取り、その電話番号を判定し、かつ、ユーザから固有の識別ストリングを受け取るステップと、
(viii)第２のコンピュータにおいて、固有の識別ストリング及びユーザにより作動された電話の電話番号に関連した擬似ランダム・ストリングを発生し、かつ、この擬似ランダム・ストリングをユーザが操作する電話に送信するステップと、
(ix)所定のルールに従って揮発性識別コードを発生するように、ユーザ及び第２のコンピュータに既知のマスク・コードを擬似ランダム識別ストリングに適用するステップと、
(x)ユーザが操作する電話の電話番号と共に揮発性識別コードが送信される場合は、ユーザが操作する電話から又は揮発性識別コードが第１の電気通信アドレスと共に送信される場合は、第１のコンピュータから第２のコンピュータに揮発性識別コードを送信するステップであって、電話番号又は第１の電気通信アドレスは、第１のコンピュータ、ユーザ及び実行可能ファイルをそれぞれ識別するために提供されるステップと、
(xi)第２のコンピュータにおいて、揮発性識別コードは、擬似ランダム・ストリングに適用することにより発生したマスク・コードと一致するのをチェックして、一致のときは、
(xii)実行可能ファイルは、データ・ファイルをアン・ラップ又は解読し、かつ、これを第１のコンピュータにインストールできるようにキー・コードを第１のコンピュータに送信するステップと、
を含む前記方法。
【請求項１７】  第１のユーザにより作動された第１のコンピュータ、第１及び第３のユーザにより作動された第２のコンピュータを含む安全データ転送システムであって、第３のコンピュータの制御により第１のコンピュータから第２のコンピュータにファイル名を有するデータ・ファイルを転送するようにされた前記システムにおいて、
(i)第１のコンピュータは、第１のユーザによる転送用のデータ・ファイルの選択により通信リンクを確立するようにされ、
(ii)第１及び第３のコンピュータは、第１のコンピュータと第３のコンピュータとの間の検証通信により、第３のコンピュータに対して第１のコンピュータの認識を検証するようにされ、
(iii)第１のコンピュータは、固有のキー・コードによる作動によってのみデータ・ファイルをアン・ラップ又は解読するようにされた実行可能ファイル内のデータ・ファイルをラップ又は暗号化し、かつ、第１のユーザ識別情報及びデータ・ファイルのファイル名ステップと共にラップ又は暗号化されたデータ・ファイルを含む実行可能ファイルを第２のコンピュータに直接的に送信し、
(iv)第１のコンピュータは、第１のユーザ識別情報及び固有のキー・コードと共にデータ・ファイルのファイル名を第１のコンピュータから第３のコンピュータに送信し、
(v)第２のコンピュータは、ラップ又は暗号化したデータ・ファイルを含む実行可能ファイルの受信により、及び、これに対する第２のユーザのアクセス試行により第３のコンピュータと通信リンクを確立し、
(vi)第２及び第３のコンピュータは、第２のコンピュータと第３のコンピュータとの間の検証通信により第３のコンピュータに対する第２のユーザの識別を検証するようにされ、
(vii)第２のコンピュータは、第２のユーザの識別検証の成功により、固有のキー・コードに対する要求によりデータ・ファイルのファイル名を第２のコンピュータから第３のコンピュータに送信し、
(viii)第３のコンピュータは、実行可能ファイルにデータ・ファイルをアン・ラップ又は解読させ、かつ、第２のコンピュータにおけるこれらに対して第２のユーザがアクセスできるように第３のコンピュータから第２のコンピュータに固有のキー・コードを送信する、前記システム。
【請求項１８】  請求項１７記載のシステムであって、第１のコンピュータの認識は、ステップ(ii)において、第１のユーザが第１のユーザ揮発性識別コードを発生するように第１のコンピュータに擬似ランダム・セキュリティ・ストリングに対して第１のユーザ・マスク・コードを適用し、第１のユーザは、第３のコンピュータに対して第１のユーザ揮発性識別コードを送信し、かつ、第３のコンピュータは、第１のユーザ揮発性識別コードと、第３のコンピュータにおける擬似ランダム・ストリングに対して第１のユーザ・マスク・コードを適用することにより得られた第１のチェック揮発性識別コードとを比較することにより検証され、第１のユーザ揮発性識別コード及び第１のチェック揮発性識別コードが互いに一致するときに識別検証が実行されるようにされた前記システム。
【請求項１９】  請求項１７又は１８記載のシステムであって、第２のユーザは、ステップ(vi)において、第２のユーザが第２のユーザ揮発性識別コードを発生するように第２のコンピュータにおける擬似ランダム・セキュリティ・ストリングに対して第１のユーザ・マスク・コードを適用し、第２のユーザが第３のコンピュータに第２のユーザ揮発性識別コードを送信し、かつ、第３のコンピュータが第２のユーザ揮発性識別コードと、第３のコンピュータにおける擬似ランダム・ストリングに対して第２のユーザ・マスク・コードを適用することにより得られた第２のチェック揮発性識別コードとを比較することにより検証され、第２のユーザ揮発性識別コード及び第２のチェック揮発性識別コードが互いに一致するとき識別検証が実行される前記システム。
【請求項２０】  請求項１８に従属する請求項１９記載のシステムであって、第１のユーザ・マスク・コード及び第２のマスク・コードは、同一の擬似ランダム・セキュリティ・ストリングに対して適用されるようにされた前記システム。
【請求項２１】  請求項２０記載のシステムであって、擬似ランダム・ストリングは、第３のコンピュータにより発生され、かつ、最初に第１のコンピュータに、次に第１のコンピュータから第２のコンピュータに送信されるようにされた前記システム。
【請求項２２】  請求項２０記載のシステムであって、擬似ランダム・ストリングは、第３のコンピュータにより発生され、最初に第１のコンピュータに、次に第３のコンピュータから第２のコンピュータに送信されるようにされた前記システム。
【請求項２３】  請求項１９記載のシステムであって、第１のユーザ・マスク・コード及び第２のユーザ・マスク・コードは、異なる擬似ランダム・セキュリティ・ストリングに適用されるようにされた前記システム。
【請求項２４】  請求項１７から２３のいずれかに記載のシステムであって、第１又は第２のユーザの識別は、ユーザ・マスク・コードをコンピュータ及びディスプレイによりユーザ・マスク・コード入力用の安全ユーザ・コード・エントリ・インターフェースを介して第１又は第２のコンピュータにより、それぞれ検証されるようにされ、
(i)安全ユーザ・コード・エントリ・インターフェースは、ユーザによりユーザ・マスク・コードの少なくとも１つのデジットを入力するために少なくとも１つの作動表示を含み、作動表示は、作動表示内に少なくとも１つのディスプレイ・デジットを照光又はハイライトさせるようにされ、インターフェースは、ユーザ・マスク・コードに対応する少なくとも１つのディスプレイ・デジットが作動ディスプレイにおいて照光又はハイライトさせたときに、応答時間において入力装置を介する応答によりユーザ・マスク・コードの少なくとも１つのデジットを入力できるようにされ、かつ、
(ii)時間どおりのランダム・ラン・オン・タイムは、少なくとも１つの作動表示を延長するように応答時間に対して付加される、前記システム。
【請求項２５】  請求項１８若しくは１９又はこれらに従属する請求項記載のシステムであって、(i)擬似ランダム・ストリングは、第１のアレーのキャラクタを含み、各キャラクタは、第１のアレーにおいて与えられた数値位置（第１、第２、第３）を有し、
(ii)マスク・コードは、第２のアレーのキャラクタを含み、各数値は、第２のアレーにおいて与えられた数値位置（第１、第２、第３）を有し、かつ
(iii)揮発性識別コードは、位置順を考慮して第２のアレーにおける数値に基づき第１のアレーにおける数値位置を逐次選択するように擬似ランダム・ストリングに対してマスク・コードを適用することにより発生され、第３のアレーを形成するように第１のアレーから選択されたキャラクタを逐次戻し、第３のアレーは、揮発性識別コードを形成する、前記システム。
【請求項２６】  請求項１７から２５のいずれかに記載のシステムであって、第３のコンピュータは、監査形跡を確立可能とするように第１、第２及び第３のコンピュータ間のトランザクション記録を保持するように適応されている前記システム。
【請求項２７】  請求項１８若しくは１９又はこれに従属する請求項記載のシステムであって、第３のコンピュータは、関連する擬似ランダム・セキュリティ・ストリングとの組合せによりデジタル署名として第１、第２及び第３のユーザ揮発性識別コードを記憶するようにされている前記システム。
【請求項２８】  第１のコンピュータ及び第２のコンピュータを含む安全データ転送システムにおいて、第２のコンピュータから第１のコンピュータにデータ・ファイルを転送するようにされたシステムであって、
(i)第１のコンピュータは、第２のコンピュータと通信リンクを確立するようにされ、
(ii)第１のコンピュータは、第２のコンピュータから転送するためにデータ・ファイルを選択するように動作可能であり、
(iii)第２のコンピュータは、固有のキー・コードによる作動によってのみ前記データ・ファイルをアン・ラップ又は解読するようにされた実行可能ファイル内のデータ・ファイルをラップ又は暗号化し、かつ第１のコンピュータにラップ又は暗号化されたデータ・ファイルを含む実行可能ファイルを送信するようにされ、
(iv)第１及び第２のコンピュータは、第１のコンピュータにおける擬似ランダム・セキュリティ・ストリングに第１のユーザのマスク・コードを適応して第１のユーザ揮発性識別コードを発生することにより、第１のユーザによる第１のコンピュータのユーザの識別を検証するようにされ、第１のユーザは、第２のコンピュータに第１のユーザの揮発性識別コードを送信し、かつ、第２のコンピュータは、第１のユーザの揮発性識別コードと、第２のコンピュータにおける擬似ランダム・ストリングに対して第１のユーザ・マスク・コードを適用することにより得られた第１のチェック揮発性識別コードとを比較し、第１のユーザ揮発性識別コード及び第１のチェック揮発性識別コードが互いに一致するときに識別検証が実行され、
(v)第２のコンピュータは、第１のコンピュータの使用の検証成功により第１のコンピュータに固有のキー・コードを送信する、前記システム。
【請求項２９】  請求項２８記載のシステムであって、第１のユーザの識別は、コンピュータ及びディスプレイを介してユーザ・マスク・コードを入力する安全ユーザ・コード・エントリ・インターフェースを介する第１のコンピュータにより検証されるようにされ、
(i)安全ユーザ・コード・エントリ・インターフェースは、ユーザによりユーザ・マスク・コードの少なくとも１つのデジットの入力する少なくとも１つの作動表示を含み、作動表示は、その作動表示内に少なくとも１つの表示デジットを照光又はハイライトするようされ、インターフェースは、ユーザ・マスク・コードの少なくとも１つのデジットに対応する少なくとも１つの表示が作動表示において照光又はハイライトされる応答時間で入力装置を通る応答により、ユーザがユーザ・マスク・コードの少なくとも１つのデジットを入力できるようにされ、かつ、
(ii)少なくとも１つの作動表示を延長するようにランダム・ラン・オン・タイムが応答時間に付加される、前記システム。
【請求項３０】  請求項２８又は２９記載のシステムであって、
(i)第１のアレーのキャラクタを含み、各キャラクタは、第１のアレー（第１、第２、第３）において与えられた数値位置を有し、
(ii)マスク・コードは、第２のアレーの数を含み、各数は、第２のアレー（第１、第２、第３）において与えられた数値位置を有し、
(iii)揮発性識別コードは、位置順に取る第２のアレーにおける数に基づき第１のアレーにおける数値位置を逐次的に選択するように、かつ、キャラクタを戻すように擬似ランダム・ストリングに対してマスク・コードを適用することによって発生されて、第３のアレーを形成するように逐次的に第１のアレーから選択され、この第３のアレーは、揮発性識別コードを形成する、前記システム。